(57)【要約】      （修正有）【課題】テレビ、パソコン、携帯電話、ビデオカメラの画面に太陽光、電球光による画面にできる風景画、窓画、電球画の防止と画面に太陽光線が当たった時に画面が見ずらく成らない方法と画面に出来る黒い枡状の網目模様を無くす方法と電磁波防止と紫外線、赤外線防止方法。【解決手段】光線透過率３０％以上着色した両面ナシ状凹凸の一層目樹脂フィルムと、四隅一箇所以上にアース線を埋め込みＵＶ加工を施した、光線透過率３０％以上の透明導電性で一面がナシ状凹凸の二層目樹脂フィルムとを凹凸面同士を圧着又は接着剤で合わせ、二層目画面側にベタ塗又はナシ状凹凸状に粘着層を設ける。【選択図】図１
2006088681.tif 000002
【特許請求の範囲】
【請求項１】
各種合成樹脂で作った多層式フイルムは、光線透過率３０％以上で各種適合色と適合率によって着色し、フイルムの両面を０．００１ｍｍ〜５ｍｍの間による、適合径と適合形体のナシ状凸凹を一層目とし、各種透明導電性の適合する合成樹脂は光線透過率３０％以上、無色透明で一面を０．００１〜５ｍｍの間による、適合径と適合形体のナシ状凸凹フイルムにＵＶ加工を施し二層目四隅の一箇所以上にアース線を埋め込んだ物を二層目とし、一層目一面の凸凹と二層目凸凹面を合わせ、圧着又は各種適合する透明〜有色接着剤によって接着し、二層目の画面側に適合する透明〜有色粘着剤をベタ塗又は梨状０．００１ｍｍ〜２ｍｍの間によって適合径と適合形体でナシ状凸凹状に粘着層を設けて、作られたフイルム
【請求項２】
各種合成樹脂で作った多層式フイルムは、光線透過率３０％以上で各種適合色と適合率によって着色し、フイルムの両面を０．００１ｍｍ〜５ｍｍの間による、適合径と適合形体の凸凹のナシ状の一面をＵＶ加工したフイルムを一層目とし、一層目を型材にし、光線透過率３０％以上で無色透明な各種透明導電性合成樹脂を圧入加工し、四隅の一箇所以上にアース線を設けられて作られたフイルム
【請求項３】
一層目を光線透過率３０％以上、無着色透明とした、請求項１記載内容に基づいて作られたフイルム
【請求項４】
一層目を光線透過率３０％以上、無着色透明とした請求項２記載内容に基づいて作られたフイルム
【請求項５】
一層目と二層目を光線透過率３０％以上、一層目と二層目を適合色と適合率によって着色し、一層目と二層目と着色濃淡とした、請求項１記載内容に基づいて作られたフイルム
【請求項６】
一層目と二層目を光線透過率３０％以上で、一層目と二層目を適合色と適合率によって着色し、一層目と二層目と着色を濃淡とした、請求項２記載内容に基づいて作られたフイルム
【発明の詳細な説明】
【発明の詳細な説明】
【０００１】  テレビ画面、パソコン、ハンディカメラ等の画面の表面に太陽光、電球光によってできる、風景画、窓画、電球画は画面に光線が当った時に、表面の鏡面作用によって出来る窓映、電球映、時として太陽光で画面が見づらくなる。
当発明したフイルムは一層目フイルムをナシ状にする事で、太陽光、電球光が画面に照らされた時に出来る、風景画、窓画、電球画と光線によって画面が見づらく成るのを軽減でき、又画面にできる黒い枡状の網目模様が殆どなくなる。
【０００２】  二層目に導電性フイルムを用いる事で電磁波が防止され、一層目或は二層目にＵＶ加工することで、紫外線、赤外線防止ができる。
【産業上の利用分野】
【０００３】  当発明は、テレビ、パソコン、携帯、など各種多目的に作られ、特に画像面に光が当った時にも画像が見え、画像等も綺麗に見るための画面に貼るフイルムである。
【背景技術】
【０００４】  従来のフイルムは、生産用器具の固定用、硝子用が大半で、テレビ、パソコン、携帯等画面に貼り網目模様軽減、光が画面に当った時、表面処理によって画面が見えにくくなる為の防止用フイルムは無く、プラズマ用赤外線吸収フイルムに重点を置いている物と、（例えば、特開平１１−２６９２８４）何層も重ね合わせて表面に該反射フイルムを設けて有る（例えば特開平１１−６４６０３）等が有るが、画面の枡の状黒い網目模様を消したり、表面の鏡面作用を防止とは別に、光線に対しフイルムの内部光処理と一層目の該反射を重点に構成されている。
【発明が解決しようとする課題】
【０００５】  赤外線、紫外線、電磁波防止用で、表面がナシ状の凸凹とフイルム自体が着色され、さらに一層目と二層目の接合部がナシ状にし、二層目フイルムを透明伝導性にすることで、画面に光が当った時に、表面光処理と画画面にできる網目の軽減目的と電磁波、赤外線、紫外線を防止する。
【課題を解決するための手段】
【０００６】一層目のフイルムの両面をナシ状凸凹にし、各適合色と的適合率に着色し、二層目フイルムの一面をナシ状凸凹にし、無色又は一層目と二層目の色を濃淡にし、一層目と二層目の中間をナシ状凸凹になる様に一層目と二層目を圧着又は適合する接着剤で貼りあわせ、貼りあわせた平面、つまり画面方向に粘着層を設け画面に貼った時に、画面の表面のナシ状凸凹面によって鏡面効果を無くし、画面内部の画像光はフイルムの中間部のナシ状凸凹箇所で乱反射させ、なおかつ一層目と二層目の色の濃淡あるいは、一層目着色、二層目無着色透明に構成することで、画像方向に鏡面効果を働かせ、画面内部に戻った光と画面内部側の光が二層目、一層目の中間ナシ状部で内部からの画像光が乱光しデスプレー先端部の影部に光が照射され、照射された光が外部に出るために、画像の網目模様が軽減され画像が綺麗になる。
【０００７】二層目フイルムを透明導電性フイルムにＵＶ加工を施す事に拠って、プラズマテレビ、パソコン、携帯電話などの電磁波の防止に効果を発揮する。
【０００８】一層目フイルムを適合色に着色し、両面を凸凹状にし、二層目フイルムを適合色に着色し、一層目と二層目の着色を濃淡にし、一層目と二層目フイルムを貼り合わせる事によって、中間の鏡面効果が高上し、桝状の網目模様が軽減する。
【発明を実施するための最良の形態】
【０００９】発明の実施形態を実施例に基づき図面を参照して説明する。
図１において、一層目フイルム２を光線透過率３０％以上、各適合色と適合率によって着色し、両面１を０．００１ｍｍ〜５ｍｍの間で適合形体、適合径のナシ状に凸凹状にし、二層目フイルム４を光線透過率３０％以上、透明導電性とし、画面四隅の一箇所にアース線を埋め込み、フイルムの一面を０．００１ｍｍ〜５ｍｍの間でナシ状凸凹にし、一層目と二層目のナシ状凸凹部を合わせ、合わせ面３はナシ状凸凹状に成る様に、圧着、若しくは各種適合接着剤によって接着し、接着した平面部、画面方向６側に粘着層５を設け、粘着面を画面、に貼る。【００１０】図２において、フイルムは各種画像画面の大きさに加工し、画面外方向７はナシ状の凸凹で画面方向６は無色透明な粘着層５で出来ている。
【発明の効果】
本発明は、以上説明したように構成されているので、以下に記載されている効果を奏する。
【００１１】表面をナシ状凸凹の一層目フイルムを、適合色で着色する事で、鏡面効果を無くし、風景画、電球画、窓画が画面に映らず画像が綺麗で見得やすくなる。
【００１２】一層目と二層目の面がナシ状の凸凹状の為に、映像光が一度内部で乱反射し、映像光が二層目から一層目を通し外部に出た時は、画像事態の網目が緩和され画面が綺麗になっている。
【図面の簡単な説明】
【図１】多層式フイルムの断面図である。
【図２】多層式フイルムの正面図である。
【符号の説明】
１    ナシ状凸凹面
２    一層目フイルム
３    一層目と二層目の中間のナシ状凸凹である。
４    二層目フイルム
５    粘着面
６    画面方向
７    画面の反対方向
８    アース線
Ａ一層目ナシ状と二層目ナシ状凸凹部と接着加工後の断面図である。
【図１】
2006088681.tif 000003
【図２】
2006088681.tif 000004